(57)【要約】【課題】  投てき撒布に耐える強度を有し、草地、林地、荒地を問わず、傾斜地にもよく定着するとともに、気候変化の影響を受け難く、内蔵する種子を確実に発芽させる播種カプセルを提供する。併せて周辺の土壌改良と幼木への養分補給を行い、水源や生態系の保全にも役立てる。【解決手段】  粘土に木質粉と木材チップを練り込んで播種容器を成型し、木材チップの端部を露出させてスパイク効果を得る。外形を扁平なコロッケ状として転落を防止する。寸法を高さ３０ｍｍ以上、長さ５０ｍｍ以上として気候変化に耐える体積を確保し、培養材として木質粉の基材にカキ殼と炭粉を混ぜたものを種子とともに充填する。必要な吸水性と保水性をもたせ、発芽の時期に合わせて自然崩壊させるとともに残骸を土壌改良に役立てる。【選択図】        図２
0003101691.tif 000002
【実用新案登録請求の範囲】
【請求項１】
自然崩壊方の草木及び菌種系茸のためなどの播種容器であって、平面上が丸みを帯びた楕円ないし長方形で最小５０ｍｍから最大１２０ｍｍ位とし、中心部高さ最小３０ｍｍから最大５０ｍｍ位であり、水平分割面符号３で身とフタに２分されており、図示してある符号１と２に分かれた外皮で、身の外皮内部に収容室を設け、容器最小厚５ｍｍ位とし、容器の要素材を、４土と木材のおが粉と、８木材チップとを、体積３０〜６０％位いとすることを特徴とする播種容器及び播種カプセル。
【請求項２】
〔請求項１〕記載の播種容器の収容室に備えた要素材は体積比で、５海のカキ殻１０〜３０％位、６炭粉１０〜３０％位、４残部木材のおが粉からなる要素材を充填したことを特徴とする播種容器及び播種カプセル。
【請求項３】
〔請求項２〕の播種カプセル要素材中に７草木の種子や菌類を埋め込み外皮身容器１と２を水平分割面を接着した播種容器及び播種カプセル。
【請求項４】
〔請求項１、２、３〕を構成一体化した、播種容器及び播種カプセル。
【考案の詳細な説明】
【技術分野】
【０００１】  本考案はまず第一に山林において目的の場所に、条件を問わず大量且つ集中的に草木、木の実や、果実の自発発芽を促しまた菌類増床を計り発育させんとした播種容器及び播種カプセル。
【背景技術】
【０００２】  従来、この種の分野においては、土壌改良、肥料、緑化方法、種子の製造方法などとして各種の考案がされてきたが、いずれも目的は短期的直接的効果、効用のためと言ってよい技術であったと言える。
【特許文献４】特開平９−２９４４１５、特公平７−８９７７３、特開平７−３３５６９、特公（Ｂ２）−２９８７５６８、
【考案の開示】
【考案が解決しようとする課題】
【０００３】  そこで目的の所ろ、場所に露出をさせ分解し必要最低限樹木を発芽発育させんと、７の木の実（どんぐり、松の実等）及び果実の実を符号４、５、６の要素材と同時に混入させるもので、この木の実類以外の要素材は直接的栄養活力成分としながら最大限の効果が発揮出来る様にしたものであり、山林の手入れ不足、酸性雨、害虫等で弱体化した樹木及び土壌にも、短期、中期、長期的かつ有効に機能する様にするもので山林全体及び水質保全にも役立つ上多大な波及効果特性をもたらせんとした。【０００４】  合わせ回りの木々の山林保全や鳥類を呼び寄せ害虫を少なくせんとした上、短期、中期、長期の水質保全等にも役立つ様構造及び材料の組合せにて最大限の成果をもたらす様に考案した。【０００５】  そこで本考案の構造及び要素材と合わせることにより、菌を有効に利用せんとしたものであり、主たる目的地にこの考案品を与え目的の場所へ撒いた場合、雨、日光等の自然力と共にこの糸状菌によって、いやが上にも微生物分解が起き始め、いくら条件が悪い場合でも有機分解が進化し、約半分位は菌体化するので草木、山林や植物にとって重要なエネルギーを生みその効果を発揮させんとしたものである。
【課題を解決するための手段】
【０００６】  上記目的を達成するために、本考案における播種容器及び播種カプセルは、中味において後記述するが菌種体も含め、山林の土壌などに応用するので、微生物としての糸状菌（かび）の事を前提として説明すると、この糸状菌は単細胞の下等植物で、菌自体は細かい糸状のものであり菌糸より出来ており次々とからみ合い菌糸体と言うのを造る。
これは大きくなった場合など目認出来る菌も山林の土に反応する場合、アルカリ性、酸性双方に適応もするし、風通しが良く太陽に一応あたる場所では特に増菌反応がよい。また落葉などの分解力は微生物中第一級の働きをする。【０００７】  これを図面に基づき説明をすると、第一図は本考案の全体例示図で符号１と２の外部形状は、上部外皮１と下部外皮２とに分かれ、割合で言えば約上３割、下７割位の形状になって一体化させ食品でいうごとくコロッケ形状をあえてしている播種容器及び播種カプセル。【０００８】  これは雨が外皮に当たり浸透吸収させ吸収分解を促進させんとした外皮表面である。こうする事により山林の前述した菌体を早く多く発生させ、その上分解が同時に効果的に早まる様促進させんとしたもので課題を解決するため構成されている。
【考案の効果】
【０００９】  次に本考案の最大目的である、目的の所ろ、場所に露出をさせ分解し必要最低限樹木を発芽発育させんと、種子等７の木の実（どんぐり、松の実等）及び果実の実を、符号４、５、６の要素材と同時に混入させるもので、この符号７の木の実や菌類以外の要素材は直接的栄養活力成分としながら最大限の効果が発揮出来る様にした。【００１０】  そこで、符号１、２の外皮の収容室に体積比で、符号５海のカキ殻１０〜３０％、６炭粉１０〜３０％、４残部木材のおが粉からなる要素材を充填している上、【００１１】  その播種カプセル要素材中に７草木の種子や菌類を合わせて混合し外皮身容器１と２を水平分割面３を接着した播種カプセル容器で自発発芽を有効的に促し、【００１２】  雨が外皮に当たり浸透吸収させ吸収分解を促進させんとしているため、中、長期的に草木、苗、土壌、水質保全など山林や、目的地及び囲りのエネルギー活力源となる一体化構造と要素材の組合せによる、発芽・発育・増菌・促進効果の発揮できる播種容器で、【００１３】  且つ効果的に苗床を設けたごとく樹木を発芽、発生させんとして、その後７の木の実、種子及び菌以外の要素材４、５、６で二次的間接的効果が役立つ様考案された発芽発育促進、また増菌左遷とした二重、三重の互換関係効果が可能となり、自然崩壊方とすることで最大の効果が発揮される。
【考案を実施するための最良の形態】
【００１４】  この外皮素材の播種容器は、大部分が自然土（赤土、ねんど土）等及び木材のおが粉（チップ材も多少含む）で型を形成されている。【００１５】  このコロッケ型播種容器は、山林に撒いた状態では表面積に自然の太陽光、雨、湿度、風、落葉などが多く当たる為の外形状で表面は特にさらりとしたつるつるでなく、言葉で表現するならばあえてこれもザラザラと、４の土と木材のおが粉、８の木材チップからなるため、凸（トツ）の突起が外皮身容器１と２全体比で約６０％となって急な傾斜地などの滑り止めの役目を果たす。【００１６】  また、平面上が丸みを帯びた楕円ないし長方形で最小５０ｍｍから最大１２０ｍｍ位とし、中心部高さ最小３０ｍｍから最大５０ｍｍ位であり、水平分割面で身とフタに２分されており、【００１７】  さらに、身の外皮内部に収容室を設け、容器最小厚５ｍｍとし、容器の素材を、４土と木材のおが粉と、８木材チップとを、体積３０〜６０％位いとすることを特徴とする。【００１８】  次に外形の中身、材料をそれぞれに付いて説明すると、４は木材のおが粉及び菌類（チップ材も多少含む、図示点点）が主成であり細分化されている。【００１９】  そこで１、２の外皮が雨や光などで適度に分解され中身に水分が迅速に掃滲されていくことにより合わせて別の５のカキ殻（分解された５立方ミリ位）が土壌に必要な石灰の役目を果たし、土質を中和化させ５のカキ殻に含まれる少量の塩分も役目を果たす分けで、このカキ殻は、自然界の鳥類が本能的に大好物で、これを目的に集まり、樹木の害虫を防止することにもなる。【００２０】  また別の混合素材６の炭もやはり太さは約５立方ミリ位と細分化されておりペーハーをアルカリ化させ多孔質構造体で、保水性、透水性、保肥性、通気性にすぐれ、散布状態に利用された形で本考案品を撒くため土壌は土温が上昇をし、５のカキ殻と同様カルシウム、カリウムなどのミネラルも含み微量要素を補給する。【００２１】  またこの炭は弱アルカリ性であると言え、土自体の酸度をも整えるのでイオンの発生をさせ自然界における記号Ｈ（ヘリウム）の吸着を助けるから、５のカキ殻とこの６の炭を組合わせることにより土壌の改良、地力増進が計れる。
【図面の簡単な説明】
【００２２】
【図１】はこの考案の実施例を示す見取り図。
【図２】は「図１」のＡからＢの拡大断面図。
【図３】は実施例のイメージ図である。
【符号の説明】
【００２３】  １上部外皮、２下部外皮、３符号１と２の接着面、４木材のおが粉、５海のカキ殻、６炭、７種子等（木の実、どんぐり、松の実、果実の実）及び菌、８木材チップ、
【図１】
0003101691.tif 000003
【図２】
0003101691.tif 000004
【図３】
0003101691.tif 000005
【手続補正書】
【提出日】平成15年9月30日(2003.9.30)
【手続補正１】
【補正対象書類名】実用新案登録請求の範囲
【補正対象項目名】全文
【補正方法】変更
【補正の内容】
【実用新案登録請求の範囲】
【請求項１】
木質粉と木材チップを合計で体積比３０％以上６０％以下の範囲で含み、残部土からなる配合土を成型して容器とし、配合した木材チップの鋭角端が容器壁から露出していることを特徴とする播種容器。
【請求項２】
請求項１において、容器の平面形状が楕円ないし角を丸めた方形であるとともに外形がコロッケ状であって、高さに対して長さが１．５倍以上３．５倍以下、高さが３０ｍｍ以上５０ｍｍ以下、長さが５０ｍｍ以上１２０ｍｍ以下であり、かつ身とフタから構成されることを特徴とする播種容器。
【請求項３】
請求項１または２に記載する播種容器に、体積比でカキ殼１０〜３０％、炭粉１０〜３０％、残部木質粉からなる培養材を収容したことを特徴とする播種カプセル。
【請求項４】
請求項３に記載する播種カプセル、もしくは請求項１または２に記載する播種容器に培土を収容した播種カプセルに、草木の種子または菌種を装入し、身とフタを一体に固着したことを特徴とする播種カプセル。
【手続補正２】
【補正対象書類名】明細書
【補正対象項目名】全文
【補正方法】変更
【補正の内容】
【考案の詳細な説明】
【技術分野】
【０００１】  本考案は粘土団子状種子の改善にかかわり、とりわけ日本の山野に好適な粘土製の播種容器、及びこれに培土、種子または菌種を入れた播種カプセルに関する。
【背景技術】
【０００２】  従来、自然農法や乾燥地の緑化において、種子を粘土でくるんだ、いわゆる粘土団子状種子が利用されている（たとえば特許文献１，２参照）。これらは総じて、勾配が比較的緩やかで、かつ草木の繁茂していない地面を対象としている。
【特許文献１】特公平７−８９７７３
【特許文献２】特開平９−２９４４１５
【考案の開示】
【考案が解決しようとする課題】
【０００３】  我国の山地では勾配が大きく、地面の状態は荒地から草地、落葉が堆積した林地など変化が大きい。また気候条件については、降雨量が大きいものの、地形によっては日当りが良く、風通しの良い所から日陰で湿度の高い所など大きな差がある。
従来の粘土団子状種子は外形が球形を基本とする団塊状であるので転げやすく、窪地に集まりやすい。また相対的に体積が小さいので気候条件など環境の変化に対応し難く、発芽生育に大きなムラを生じる。更に、早い時期に種子が露出して、小動物に食べられるなどの不具合もある。【０００４】  本考案の課題は地形的にも気候的にも変化の大きい我国の山野において、草木の種子や菌種を、ムラなく散布して確実に発芽生育させる播種カプセルを提供することにある。またこの播種カプセルを、山林の持つ多面的な機能たとえば水源涵養、動物の棲息環境などにも寄与するようにすべてを天然の素材によって製作しようとするものである。
【課題を解決するための手段】
【０００５】  上記課題を解決するために、播種容器を形成する配合土に体積比で３０％以上６０％以下の範囲で木質粉と木材チップを含有させる。木質粉とはおがくずに代表される木材の粉粒である。木材チップは木材を細断したものであり、これの鋭利な端部を播種容器の壁面から露出させる。【０００６】  播種容器の外形を転落し難いコロッケ状とする。すなわちその平面形状を楕円ないし角を丸めた方形とするとともに、高さに対して長さを１．５倍以上３．５倍以下、高さを３０ｍｍ以上５０ｍｍ以下、長さを５０ｍｍ以上１２０ｍｍ以下とする。播種容器は身とフタから構成する。【０００７】  播種容器に培養材を充填して播種カプセルとする。培養材の配合は体積比でカキ殼１０〜３０％、炭粉１０〜３０％、残部を木質粉とし、フタを添付して播種事業者に供給する。【０００８】  上記播種カプセル、もしくは前記播種容器に任意の培土を収容した播種カプセルに草木の種子または茸類の菌種を装入し、身とフタを一体に固着して播種カプセルとする。
【考案の効果】
【０００９】  播種容器の壁から木材チップの鋭利な端部が露出しているので、これのスパイク効果により、傾斜地を滑落し難く、撒布場所によく定着する。また木材チップは雨水を効果的に内部に導くとともに、木質粉との相乗効果で、吸水性と保水性を高めて種子の発芽を促して容器の崩壊も助ける。【００１０】  容器の外形を扁平なコロッケ状としたので転がり難く、雨水を効果的に受けることができる。また寸法を従来品に比して大きくしたので、短期的な気候変動の影響を受け難く、発芽に必要な水分を、必要な期間維持することができる。【００１１】  カキ殼と炭粉および木粉を培養材とすることにより、崩壊した容器の配合土、および撒布場所に存在する腐葉土などが合さって、発芽初期の幼木に必要な養分をバランスよく補給する。とくに酸性雨によって欠乏しているアルカリやミネラルをカキ殼と炭の灰分が補う。この播種容器はすべてが天然材から出来ており、山林の環境に有害な物質を含まないので水源地にも安心して使用できる。またカキ殼は野鳥が好む。【００１２】  培養材とともに種子を装入してフタを固着させれば、そのままで山林に撒布することができる。本考案の播種容器は、原料が安価で、形状も単純であるので型づくりの方法によって安く量産可能である。投てきの衝撃に耐える強度をもたせることができるので人が踏み込み難い山地にも広い範囲に撒布することができる。
【考案を実施するための最良の形態】
【実施例】
【００１３】  本考案の播種容器（以下単に容器と記述する）を、樹木の種子に適用する形態を実施例を兼ねて説明する。図１は容器の外観斜視図、図２は容器に培養材と種子であるどんぐりを装入してフタを接着固定した播種カプセルの中心部垂直断面図である。図において、１はフタ、２は身であり接着面３において一体化され、１と２で容器を構成する。７は外面に一部が露出した木材チップである。【００１４】  容器の素材である配合土は粘土を主材とする。粘土は汎用の成型用のものに限らず、壁土や堆積土など、成型が可能で乾燥後所要の強度があればどのようなものでも使用できる。粘土に木質粉と木材チップを加え、適量の水を加えて混練し配合土とする。木質粉はオガクズに代表される木材の粉粒であり、製材や木工で副生するものが好適である。木材チップは木材を数ｍｍから１０数ｍｍに細断したもので、製紙用として量産されるものが好適である。配合土に含まれる木質粉と木材チップの合計量は、体積比で３０％から６０％の範囲とする。【００１５】  木質粉と木材チップの配合割合、および両者の合計の配合土対する体積比は、使用する粘土の強度、容器の寸法・形状、撒布地の地面の形態、撒布方法、必要な崩壊性能などの条件に適合するように実績をもとにして決定する。製材副生物のオガクズと製紙用チップを、壁土用の低級粘土に配合する場合には、後述の標準的な大きさの容器において、オガクズとチップの合計の配合土に対する体積比は４０〜５０％が最も良い結果を得た。この体積比は粘土の強度や容器の使用条件によっては、最小３０％、最大で６０％まで使用できる。【００１６】  配合土を容器の身とフタに成型する際に、練り込んだ木材チップを容器の外表面に露出させることが本考案の第１の要点である。容器全表面の数ヶ所にランダムに木材チップの鋭利な端部が顔をのぞかせるように製作する。こうすることによって播種カプセルを撒布したとき、木材チップの突出端がひっかかりとなって傾斜地を滑落することなく撒布地点にとどまる。また雨水をよく吸収して内部に伝えるとともに、木材チップ自身が糸状菌その他山林に自生する微生物の培地となって有機分解し、容器の崩壊を促進させる。【００１７】  図１、図２に示す様に容器の外形はコロッケの形状が望ましい。平面形状は楕円、ないし角を丸めた方形たとえば小判型がよい。扁平の度合は高さに対して長さを１．５倍から３．５倍とする範囲が実用的に使用できる。この範囲の扁平形状であれば傾斜地にもよく定着する。
扁平度１．５倍未満であれば転落し易く、３．５倍を越えると容器の製作が困難となるばかりでなく、容器自体が壊れ易くなる。【００１８】  容器の大きさは少なくとも、高さが３０ｍｍ以上で長さが５０ｍｍ以上必要である。これより小さいと気候の変動の影響を受けやすくなって良好な発芽が得られない。また高さが５０ｍｍかつ長さが１２０ｍｍを越えると、容器としての強度を確保するために壁厚が大きくなり自然崩壊に時間がかかる。この寸法範囲は容器を量産して保管、撒布するにも支障がなく、適当なものである。【００１９】  容器の身とフタの配分は、これと類似形状の汎用のフタつき容器において通常見られるものでよい。すなわち、高さの中央より上寄りの位置で水平に分割する。図２の例では、身とフタの分割面（接着面）は平面であるが円錐面の様に身を凹、フタを凸としてもよい。また容器の壁厚は特に規制しない。壁厚は容器全体の強度に大きく影響するので容器の使用条件や大きさ、および配合土の性能などを勘案して経験的に決定すればよい。【００２０】  容器に培養材を充填して播種カプセルとする。培養材は基材を木質粉とし、カキ殼と炭粉を夫々体積比で１０〜３０％加える。山地では発芽直後の植物に必要な成分が不足しがちであるが、カキ殼と炭粉がその成分を補給する。カキ殼は主成分であるカルシウムのほかにミネラル分を豊かに含有するので植物のみならず、野鳥が好み、生態系の保全にも役立つ。木質粉（おがくず）は水をよく吸収して保持し発芽環境を整える。【００２１】  炭粉は木炭や竹炭を粉砕したものであり、大きさは５立方ミリ程度（寸法１〜３ｍｍ）が使いやすい。炭粉は灰分を含有する多孔質であり、土壌改良剤として広く利用されている。本考案においても土壌改良剤として働き、灰分のアルカリが前記カキ殼と同じ様に周辺土壌を整えて発芽後の成育を助ける。こうして培養材を充填した播種カプセルは、フタを添えて播種事業者に供給することができる。播種事業者はこれに種子を入れてフタを固着すれば使用できる。【００２２】  培養材としては上記の配合のもののほかに、使用場所の気候や土壌環境および種子の種類に適した培土を適宜使用する。培養材または培土を入れた容器に、種子または種菌を収容してフタを固着させると播種カプセルが完成する。図２はこれの断面図であり、１と２が容器、３は接着面、４は木質粉と炭粉の混ざり合った培養材、５はカキ殼、６は種子、７は木材チップである。身とフタの固着は接着のほかに、わら縄などの自然崩壊材で固縛する方法でもよい。【００２３】  播種カプセルは配合土や寸法を選ぶことによって所望の強度をもたせることができるので、人の踏み込み難い場所にも投げ入れることが可能である。本考案の特徴である扁平形状と木材チップの露出端部の効果によって傾斜地にもよく座り、広い面積で雨水を受ける。容器を構成する木材チップと木質粉の吸水性と保水性によって中の種子の発芽が促進されるとともに、発芽後の必要な時期に容器自体が崩壊する。容器および培養材に配合されている木質粉と木材チップは山野に自生する微生物によって分解され発芽後成育の養分となる。この状況を図３に示す。
【図面の簡単な説明】
【００２４】
【図１】    この考案の実施例を示す外観斜視図である。
【図２】    この考案の実施例における中心部垂直断面図である。
【図３】    この考案の実施例における崩壊状態を示すイメージ図である。
【符号の説明】
【００２５】  １  フタ
２  身
３  分割面（接着面）
４  培養材である木質粉と炭粉の混合物
５  カキ殻
６  種子
７  木材チップ
【手続補正３】
【補正対象書類名】図面
【補正対象項目名】全図
【補正方法】変更
【補正の内容】
【図１】
0003101691.tif 000006
【図２】
0003101691.tif 000007
【図３】
0003101691.tif 000008